(57)【特許請求の範囲】
【請求項１】
前面に商品出入用の開口を有する断熱壁で形成されるショーケース本体の内部を仕切板で区画して、
商品収納庫と冷気循環ダクトとに形成し、前記商品収納庫内の背面側に棚受けを固定し、該棚受けに取り付けたスライドレールに陳列棚を取り付け、該陳列棚上に、陳列商品を支承し該陳列商品が前方の開口方向に移動するように複数のローラを配設し、前記棚受けに対してスライドレールを水平方向にスライドするように取り付けるとともに、該スライドレールに対して陳列棚を後方が持ち上がるように陳列棚のスライドレール側部へのネジ止めによる取付位置を後方にいくに従い上部に位置させて取り付けたことを特徴とする冷凍冷蔵ショーケースの陳列棚の取付構造。
【発明の詳細な説明】
【０００１】
【発明の属する技術分野】
本発明は、冷凍冷蔵ショーケースの陳列棚取付構造に関するものである。
【０００２】
【従来の技術】
栄養ドリンク剤や清涼飲料などを保冷、陳列する冷凍冷蔵ショーケースとして、例えば図９に示すものがあり、これは、前面に商品出入用の開口２を有する断熱壁で形成されるショーケース本体１の内部を仕切板３で区画して、ショーケース本体１内を商品収納庫４と冷気循環ダクト６とに形成し、ショーケース本体１の下方に機械室７を設け、該機械室７内に図示は省略するが冷凍サイクルを構成する凝縮器、凝縮器用の送風機および圧縮機を配設し、前記冷気循環ダクト６内に前記凝縮器などとともに冷凍サイクルを構成する冷却器と冷気循環用の送風機５とが配設されている。
【０００３】
そして、送風機５によって冷気循環ダクト６内に吸い込まれ、冷却器によって冷却された冷気は、上方の吹出口８から吹き出され、開口２に冷気エアカーテンを形成して商品収納庫４内の陳列棚９の上に載置してある商品を保冷するとともに、外気が開口２から商品収納庫４内に侵入することを阻止する。
【０００４】
前記商品収納庫４内には複数段に陳列棚９が配設され、この陳列棚９には、これが前後にスライド可能なよう、ショーケース本体１の側壁の内側に固定したスライドレール１１に取り付けられるものがあり、店員が該陳列棚９の上に商品を陳列する際などに、陳列棚９を前方に引き出して陳列棚９の後部にまで容易に手が届くようにしている。
【０００５】
前記のように陳列棚９をスライドレール１１によって前後にスライド自在とする構造は、図３、図４にも示すように、スライドレール１１をショーケース側に固定される固定側１１ａと、陳列棚９が取り付けられる可動側１１ｂとで構成し、固定側１１ａに対して可動側はスライド自在に組合わさっている。
【０００６】
一方、商品収納庫４内の背面側の角部に設けてある支柱に縦方向に適宜間隔で取付孔を複数個穿設し、この取付孔に略三角形状の平板で形成される棚受け１０を係止し、該棚受け１０に前記スライドレール１１の固定側１１ａの内側をネジ止めで固定する。
【０００７】
図中１３は棚受け１０のさらに内側に取り付けたアングル状の補強部材を示し、この補強部材１３には、前端部に、陳列棚９側に取り付けた係止部９ｂと係合する係止部である上向きのフック１３ａを一体に突設した。
【０００８】
ところで、図５に示すように陳列棚９の天板９ａ上に載置する商品１５が例えば飲料缶などの場合、開口２に最も近い手前のものから順次取り出されるが、手前に位置する商品１５を取り出した後、後方の商品１５が自動的に前方に移動して開口２の近くに位置するよう、天板９ａに複数のローラ１４を並べて敷設し、このローラ１４上に商品をスライド自在に載置するものがある。
【０００９】
この場合、商品１５がローラ１４の上を滑って前方に自重で自然に移動するようにするには、天板９ａの後方が３〜４度程度持ち上がるように傾斜を設ける必要があり、そのための構造として、従来は、例えば図６に示すようにアンコと称せられる断面楔状の挿入部材２０をスライドレール１１の可動側１１ｂと陳列棚との間に介在させて、陳列棚９の後方部分を底上げしている。
【００１０】
または、図７に示すように棚受け１０自体をショーケース本体１に対して前方が下方に傾斜するように取り付けて、棚受け１０および該棚受け１０で支持されるスライドレール１１全体を前方が下方に傾斜するように取り付け、これにより、陳列棚９も前方が下方に傾斜して後方が持ち上がるように配設する。
【００１１】
これにより、陳列棚９は前方が下方に傾斜した状態で取り付けられるから、開口２に最も近い手前の商品１５を取り出せば、後方の商品１５が自重で傾斜にそってローラ１４上を滑りながら前方に移動する。
【００１２】
【発明が解決しようとする課題】
陳列棚９を傾斜させて取り付けるための構造として、アンコと称せられる断面楔状の挿入部材２０を介装する場合は、この挿入部材２０を別途格別に必要とし、部品点数が多くなるだけでなく、その取り付け作業も手間を要して組立の作業性がよくない。
【００１３】
また、陳列棚９をガイドレール１１毎、棚受け１０に傾斜させて取り付ける構造は、部品点数は増加しないが、図８に示すように商品補充などの作業のためにスライドレール１１の固定側１１ａのフック１３ａと陳列棚９側の係止部９ｂの係止を解除してスライドレール１１の可動側１１ｂを手前に引き出すと、可動側１１ｂは下降しながら前方に移動するため、該可動側１１ｂに固定されている陳列棚９も可動側１１ｂと一体となって下降しながら前方に移動する。
【００１４】
その結果、陳列棚９および商品１５の自重によって陳列棚９が手前に勢いよく移動し、陳列棚９上に残置されていた商品１５が手前に倒れて急激に飛び出し、危険でもある。
【００１５】
本発明の目的は前記従来例の不都合を解消し、後方が持ち上がるように傾斜させて取り付ける陳列棚にローラを配設し、この上に載置される商品を自重で前方に移動させる陳列棚構造において、陳列棚を傾斜させて取り付ける構造として、陳列棚の下方に介在させるアンコが不要で、部品点数や組立作業工程が増加することがなく、スライドレールの可動側を前方に引き出したときにも可動側や商品が急激に前方に飛び出すこともなく安全性も確保できる冷凍冷蔵ショーケースの陳列棚取付構造を提供することにある。
【００１６】
【課題を解決するための手段】
本発明は前記目的を達成するため、第１に、前面に商品出入用の開口を有する断熱壁で形成されるショーケース本体の内部を仕切板で区画して、商品収納庫と冷気循環ダクトとに形成し、前記商品収納庫内の背面側に棚受けを固定し、該棚受けに取り付けたスライドレールに陳列棚を取り付け、該陳列棚上に、陳列商品を支承し該陳列商品が前方の開口方向に移動するように複数のローラを配設し、前記棚受けに対してスライドレールを水平方向にスライドするように取り付けるとともに、該スライドレールに対して陳列棚を後方が持ち上がるように
陳列棚のスライドレール側部へのネジ止めによる取付位置を後方にいくに従い上部に位置させて取り付けた。
【００１７】
これにより、陳列棚自体は後方が持ち上がった状態でスライドレールに取り付けられるから、前方の商品を取り出した後は、後方の商品が自重で前方に移動する。一方、商品補充などの作業のために、陳列棚をスライドレールの可動部毎前方に引き出したときは、スライドレールの可動部は水平方向に移動し、この上に固定してある陳列棚も傾斜した状態のまま水平方向に移動するから、この水平移動によって陳列棚やその上の商品に下降方向への力が作用することはなく、可動部や商品が勢いよく前方に飛び出すことはなく安全である。
【００１８】
また、前記陳列棚のスライドレール側部へのネジ止めによる取付位置を後方にいくに従い上部に位置させることにより、例えば従来必要としていたアンコなどの部材を用いることなく、取付位置調整だけで陳列棚を傾斜させた状態で水平に移動できる。
【００１９】
【発明の実施の形態】
以下、図面について本発明の実施の形態を詳細に説明する。図１は本発明の冷凍冷蔵ショーケースの陳列棚取付構造の実施形態を示す側面図で、冷凍冷蔵ショーケースの全体構造は図９について、また、陳列棚取付構造の基本構成は図３、図４について既に説明したとおりであるからここでの詳細な説明は省略する。
【００２０】
本発明の陳列棚９もショーケースの商品収納庫４内にスライドレール１１によって前後にスライド自在に配設されるものであり、スライドレール１１は、ショーケース側に固定される固定側１１ａと、陳列棚９が取り付けられる可動側１１ｂとで構成し、固定側１１ａに対して可動側１１ｂがスライド自在に組合わさっている。
【００２１】
そして、陳列棚９の天板９ａには複数のローラ１４が並べて配設してある。
【００２２】
かかる陳列棚９において、スライドレール１１の可動側１１ｂに対して、陳列棚９を後方が３〜４度持ち上がるように傾斜させて取り付ける。この場合、陳列棚９の側板を可動側１１ｂの側部に重合してネジ止めにより両者を結合するが、陳列棚９の後方部分を上方にずらすようにして可動側１１ｂに対して陳列棚９を斜めに組合せ、陳列棚９の後方部分は可動棚１１ｂの側部の上部位置でネジ止め１６して結合する。
【００２３】
一方、スライドレール１１は従来と同様に棚受け１０に固定側１１ａが係止されるが、該固定側１１ａ、および商品収納庫４内の背面側の角部に設けてある支柱に固定される棚受け１０は、水平に取り付けられ、よって、可動側１１ｂは固定側１１ａに対して水平方向にスライドする。
【００２４】
次に動作について説明する。スライドレール１１の可動側１１ｂが固定側１１ａに重合した状態で、商品収納庫４内に位置し、陳列棚９上に商品１５が載置されている状態では、陳列棚９は後方が持ち上がっているから、開口２側の手前の商品１５を取り出すと、陳列棚９の上の商品１５はローラ１４により自重で開口２方向の手前に移動する（図１参照）。
【００２５】
商品１５の補充などのために、スライドレール１１の固定側１１ａのフック１３ａと陳列棚９側の係止部９ｂの係止を解除してスライドレール１１の可動側１１ｂを手前に引き出すと、可動側１１ｂは水平方向で前方に移動し、この可動側１１ｂに固定されている陳列棚９も傾斜状態を保持したままでそのまま前方に水平移動する。
【００２６】
この可動側１１ｂの移動は、作業員の手動操作によって得られる人力によってのみ行われ、可動側１１ｂや商品１５の自重による自然落下によるものではない。よって、固定側１１ａに対して可動側１１ｂが勢いよく前方に飛び出すことはなく、陳列棚９も前方の下方方向に移動することはないから棚上の商品１５が前方に飛び出ることはない。
【００２７】
【発明の効果】
以上述べたように本発明の冷凍冷蔵ショーケースの陳列棚取付構造は、第１に、
前面に商品出入用の開口を有する断熱壁で形成されるショーケース本体の内部を仕切板で区画して、
商品収納庫と冷気循環ダクトとに形成し、前記商品収納庫内の背面側に棚受けを固定し、該棚受けに取り付けたスライドレールに陳列棚を取り付け、該陳列棚上に、陳列商品を支承し該陳列商品が前方の開口方向に移動するように複数のローラを配設し、
前記棚受けに対してスライドレールを水平方向にスライドするように取り付けるとともに、該スライドレールに対して陳列棚を後方が持ち上がるように
陳列棚のスライドレール側部へのネジ止めによる取付位置を後方にいくに従い上部に位置させて取り付けた。
【００２８】
これにより、陳列棚自体は後方が持ち上がった状態でスライドレールに取り付けられるから、前方の商品を取り出した後は、後方の商品が自重で前方に移動する。一方、商品補充などの作業のために、陳列棚をスライドレールの可動側毎前方に引き出したときは、スライドレールの可動側は水平方向に移動し、この上に固定してある陳列棚も傾斜した状態のまま水平方向に移動するから、この水平移動によって陳列棚やその上の商品に下降方向への力が作用することはなく、可動側や商品が勢いよく前方に飛び出すことはなく安全である。
【００２９】
また、前記陳列棚のスライドレール側部へのネジ止めによる取付位置を後方にいくに従い上部に位置させることにより、例えば従来必要としていたアンコなどの部材を用いることなく、取付位置調整だけで陳列棚を傾斜させた状態で水平に移動できる。
【図面の簡単な説明】
【図１】本発明の冷凍冷蔵ショーケースの陳列棚取付構造の実施の形態を示す側面図である。
【図２】本発明の冷凍冷蔵ショーケースの陳列棚棚取付構造の実施の形態を示す手前に引き出した状態の側面図である。
【図３】冷凍冷蔵ショーケースの陳列棚の斜視図である。
【図４】冷凍冷蔵ショーケースの陳列棚の分解斜視図である。
【図５】冷凍冷蔵ショーケースの陳列棚の側面図である。
【図６】従来の冷凍冷蔵ショーケースの陳列棚取付構造の第１例を示す側面図である。
【図７】従来の冷凍冷蔵ショーケースの陳列棚取付構造の第２例を示す側面図である。
【図８】従来の冷凍冷蔵ショーケースの陳列棚取付構造の第２例を示す引出し状態の側面図である。
【図９】冷凍冷蔵ショーケースの縦断側面図である。
【符号の説明】
１…ショーケース本体  ２…開口              ３…仕切板
４…商品収納庫        ５…送風機            ６…冷気循環ダクト
７…機械室            ８…吹出口            ９…陳列棚
９ａ…天板            ９ｂ…係止部          １０…棚受け
１１…スライドレール  １１ａ…固定側        １１ｂ…可動側
１３…補強部材        １３ａ…フック        １４…ローラ
１５…商品            １６…ネジ止め        ２０…挿入部材
【図１】
0004652593.tif 000002
【図２】
0004652593.tif 000003
【図３】
0004652593.tif 000004
【図４】
0004652593.tif 000005
【図５】
0004652593.tif 000006
【図６】
0004652593.tif 000007
【図７】
0004652593.tif 000008
【図８】
0004652593.tif 000009
【図９】
0004652593.tif 000010